(57)【特許請求の範囲】
【請求項１】
受皿部と、該受皿部に連成され、下方に向かって内径が小径とされた排水管部とを備え、床部に打設されたルーフドレンの該排水管部に仮設排水ホースを着脱可能に取り付けるための仮設排水金具であって、
前記受皿部に掛止される鍔部と、該鍔部から下方に連成されて前記排水管部に内嵌され、前記仮設排水ホースに接続される内管部と、を有し、
該内管部の外周には前記排水管部との隙間からの水漏れを防ぐためのパッキンが取り付けられており、
前記床部の上側から人の手によってルーフドレンへ設置したり取り外したりすることが可能とされていることを特徴とするルーフドレン用の仮設排水金具。
【請求項２】
前記内管部は下方に向かって外径が小径とされている請求項１に記載の仮設排水金具。
【請求項３】
前記パッキンは水膨張ゴムからなる請求項１又は２に記載のルーフドレン用の仮設排水金具。
【発明の詳細な説明】
【技術分野】
【０００１】
本発明は、ベランダ，バルコニー等の床部に打設されたルーフドレンに樋管を取り付ける迄の間使用する、仮設排水金具に関する。
【背景技術】
【０００２】
建物の各階に形成されるベランダ，バルコニー等における雨水の排水手段は、床部にルーフドレンを打設してから、各ルーフドレンに樋管を取り付けて直列状に連通させ、雨水を下水溝へ導いて排水する構造とされている。
【０００３】
しかし、各ルーフドレンの打設後であって樋管を取り付ける前に雨が降った場合、各ルーフドレンから流れ落ちる雨水によって、階下の床部が水浸しとなり、建物を汚すこととなる。
【０００４】
このため、従来、ルーフドレンの打設後、樋管を取り付けるまでの間、仮設排水金具をルーフドレンに取り付け、これに仮設排水ホースを接続して下水溝に排水することが行われている（例えば、特許文献１、２）。
【先行技術文献】
【特許文献】
【０００５】
【特許文献１】特開平１１−３１５６２１号公報
【特許文献２】特許第３９２９５９７号公報
【発明の概要】
【発明が解決しようとする課題】
【０００６】
しかし、上記従来のルーフドレン用の仮設排水金具では、ルーフドレンに仮設排水金具を取り付ける場合に、床部裏側からの施工となるため、足場を組んだり、無理な姿勢で作業したりする必要があった。また、仮設排水ホースを外して樋管を設置する時にも、仮設排水金具を床部裏側から取り外さなければならず、同様の問題があった。さらに、ルーフドレン側にも仮設排水金具を取り付けるための加工を施しておかなければならなかったため、ルーフルーフドレンを打設後に仮設排水ホース設置の必要性に気付いた場合には、取付けることができなかった。
【０００７】
本発明は、上記従来の問題点を解決するためになされたもので、ルーフドレンの打設後であっても床部の上側から容易に取り付けることができ、不要になった際の取り外しも、床部の上側から簡単に行うことができる仮設排水金具を提供することを解決すべき課題とする。また、ルーフドレンを打設後に仮設排水ホース設置の必要性に気付いた場合であっても、取付けることができる排水金具を提供することを解決すべき課題とする。
【課題を解決するための手段】
【０００８】
本発明の仮設排水金具は、受皿部と該受皿部に連成された排水管部とを備え、床部に打設されたルーフドレンの該排水管部に仮設排水ホースを着脱可能に取り付けるための仮設排水金具であって、前記受皿部に掛止される鍔部と、該鍔部から下方に連成されて前記排水管部に内嵌され、前記仮設排水ホースに接続される内管部と、を有し、該内管部の外周には前記排水管部との隙間からの水漏れを防ぐためのパッキンが取り付けられており、前記床部の上側から人の手によってルーフドレンへ設置したり取り外したりすることが可能とされていることを特徴とする。
【０００９】
本発明の仮設排水金具を用いて仮設排水ホースを取り付ける場合には、まず、仮設排水金具の内管部の下端に仮設排水ホースの一端を接続した後、仮設排水ホースの他端を持ってルーフドレンの排水管部に挿入し、そのまま下げる。そして最後に仮設排水金具の鍔部をルーフドレンの受皿部に掛止させることにより、容易に仮設排水ホースを設置することができる。また、仮設排水金具の内管部の外周にはルーフドレンの排水管部との隙間からの水漏れを防ぐためのパッキンが取り付けられているため、ルーフドレンの排水管に流入する雨水を漏らすことなく全て仮設排水ホースに流入させることができる。さらには、仮設排水ホースを撤去する場合にも、床部の上側から仮設排水金具の鍔部を持って上に引上げた状態とすれば、仮設排水ホースを容易に撤去することができる。
したがって、足場を組んだり、無理な姿勢で作業したりすることなく、簡単に仮設排水ホースをルーフドレンに接続したり撤去したりすることができる。また、撤去した仮設用金具を再使用することもできる。さらには、ルーフドレンを床部に打設した後に仮設排水ホースを接続させる必要性があることに気付いた場合においても、ルーフドレンに特別な細工を施すことなく、施工することができる。
【００１０】
パッキンは水膨張ゴムからなることが好ましい。こうであれば、雨水によってパッキンが膨張するため、仮設用金具の内管部とルーフドレンの排水管部との隙間から水が漏れることを確実に防ぐことができる。
【図面の簡単な説明】
【００１１】
【図１】実施例１のルーフドレン用仮設排水金具１の設置状況を示す断面図である。
【図２】実施例１のルーフドレン用仮設排水金具１の平面図である。
【図３】図２のIII−III矢視断面図である。
【図４】実施例１のルーフドレン用仮設排水金具１の設置方法を示す図である。
【発明を実施するための形態】
【００１２】
以下、本発明を具体化したルーフドレン用の仮設排水金具について、図面を参照しつつ詳述する。
（実施例１）
図１は本発明の仮設排水金具１の設置状況を示す断面図である。ルーフドレン１０１は床部１００の上面に露出する受皿部１０１ａと、受皿部１０１ａから下方に連成された排水管部１０１ｂからなる。実施例１の仮設排水金具１はルーフドレン１０１の排水管部１０１ｂに内嵌され、仮設排水ホース１０２に接続され、床部１００に溜まった雨水を仮設排水ホース１０２に排水可能としている。
【００１３】
仮設排水金具１の上端には径外方向に突出する３つの鍔部２ａ、２ｂ、２ｃ（図２参照)が設けられ、ルーフドレン１０１の受皿部１０１ａに掛止されている。鍔部２ａ、２ｂ、２ｃから下方に向かって内管部３が連成され、排水管部１０１ｂに内嵌されている。図３に示すように、内管部３は下方に向かって小径となる内管上部３ａと、内管上部３ａから下方に円筒状に連成された内管下部３ｂとからなる。内管上部３ａの略中央外周にはパッキン溝３ｃが凹設されており、パッキン溝３ｃには水膨張ゴムからなる環状パッキン４がルーフドレン１０１の排水管部１０１ｂの内周に密着するように嵌められている。内管部３の下端は仮設排水ホース１０２に内嵌されている（図１参照）。
【００１４】
＜施工方法＞
次に、施工方法について説明する。
まず、コンクリート打設前のベランダやバルコニーの型枠にルーフドレン１０１を固定し、ルーフドレン１０１の受皿部１０１ａの上面を図示しない保護カバーで覆った後、コンクリートを打設する。コンクリートが固化した後、保護カバーを外す。そして、仮設排水金具１のパッキン溝３ｃに環状パッキン４を装着させた後（図３参照）、図４に示すように、仮設排水金具１の内管部３の下端に仮設排水ホース１０２の一端を挿入し、針金やホース接続用の金具等で固定した後、、仮設排水ホース１０２の他端をルーフドレン１０１の排水管部１０１ｂへ挿通し、仮設排水金具１の鍔部２ａ、２ｂ、２ｃがルーフドレン１０１の受皿部１０１ａに掛止されるまで下降させる。この状態において、環状パッキン４はルーフドレン１０１の排水管部１０１ｂに密着した状態とされる。そして、仮設排水ホース１０２の他端を図示しない排水溝へ設置する。こうして、仮設排水ホース１０２の施工作業が終了する。
【００１５】
＜撤去方法＞
仮設排水ホース１０２を撤去する場合には、図１に示す仮設排水金具１を手で持ち、仮設排水ホース１０２と共に引上げて床部１００に置き、仮設排水ホース１０２を仮設排水金具１から外し、仮設排水ホース１０２を排水管部１０１ｂから下方に降ろす。こうして、撤去作業を終了する。
【００１６】
以上のように、実施例１の仮設排水金具１を用いた仮設排水ホース１０２の設置作業では、床部１００にいる作業員によって、容易に仮設排水ホース１０２に接続された仮設排水金具１をルーフドレン１０１に設置することができる。また、水膨張ゴムからなる環状パッキン４によって仮設用金具１の内管部３とルーフドレン１０１の排水管部１０１ｂとの隙間から水が漏れることを確実に防ぐことができる。このため、ルーフドレン１０１の排水管部１０１ｂに流入する雨水を漏らすことなく全て仮設排水ホース１０２に流入させることができる。
【００１７】
また、仮設排水ホース１０２を撤去する場合にも、床部１００の上側にいる作業員が仮設排水金具１の鍔部２ａ、２ｂ、２ｃを持って上に引上げた状態とすれば、仮設排水ホース１０２を容易に外すことができる。さらには、撤去した仮設用金具１を再使用することもできる。
【００１８】
また、ルーフドレン１０１を床部１００に打設した後に仮設排水ホース１０２を接続させる必要性があることに気付いた場合においても、ルーフドレン１０１に特別な細工を施すことなく、施工することができる。
【００１９】
上記実施例１の仮設排水金具１は径外方向に突出する３つの鍔部２ａ、２ｂ、２ｃを有しているが、鍔部の数を４つ、あるいはそれ以上に増やしてもよい。また、鍔部を排水管部１０１ｂに連通する孔を有したリング形状としてもよい。
【００２０】
この発明は、上記発明の実施形態の説明に何ら限定されるものではない。特許請求の範囲の記載を逸脱せず、当業者が容易に想到できる範囲で種々の変形態様もこの発明に含まれる。
【符号の説明】
【００２１】
１０１ａ…受皿部
１０１ｂ…排水管部
１００…床部
１０１…ルーフドレン
１０２…仮設排水ホース
２ａ，２ｂ，２ｃ…鍔部
３…内管部（３ａ…内管上部，３ｂ…内管下部）
４…環状パッキン（パッキン）
【要約】
【課題】ルーフドレンの打設後であっても床部の上側から容易に取り付けることができ、不要になった際の取り外しも、床部の上側から簡単に行うことができる仮設排水金具を提供することを解決すべき課題とする。また、ルーフルーフドレンを打設後に仮設排水ホース設置の必要性に気付いた場合であっても、取付けることができる排水金具を提供することを解決すべき課題とする。
【解決手段】
本発明の仮設排水金具１は、ルーフドレン１０１の該排水管部１０１ｂに仮設排水ホース１０２を着脱可能に取り付けるためのものであり、前記受皿部１０１ａに掛止される鍔部２ａ，２ｂ，２ｃと、該鍔部２ａ，２ｂ，２ｃから下方に連成されて前記排水管部１０１ｂに内嵌され、前記仮設排水ホース１０２に接続される内管部３と、を有している。内管部３の外周には前記排水管部１０１ｂとの隙間からの水漏れを防ぐための環状パッキン４が取り付けられている。
【選択図】図１【図１】
0006010171.tif 000002
【図２】
0006010171.tif 000003
【図３】
0006010171.tif 000004
【図４】
0006010171.tif 000005